(57)【要約】【課題】放熱性の向上を図ることができる照明ユニットを提供する。【解決手段】  照明ユニット１は、列状に配列された複数の発光部３１ｂと、複数の発光部３１ｂを収納する長尺の外囲器とを有するランプ３０と、外囲器を保持するソケット（保持部材）５０，６０を有する器具１０とを備える。そして、外囲器は、一部が、器具１０に対向する面が露出した状態であって複数の発光部３１ｂで発生した熱を伝熱する伝熱板（伝熱部材）３２から構成され、伝熱板３２が器具１０に接触している。【選択図】図１
2013143227.tif 000002
【特許請求の範囲】
【請求項１】
列状に配列された複数の発光部と、前記複数の発光部を収納する長尺の外囲器とを有するランプと、
前記外囲器を保持する保持部材を有する器具とを備え、
前記外囲器は、少なくとも一部が、前記器具に対向する面が露出した状態であって前記複数の発光部で発生した熱を伝熱する伝熱部材から構成され、
前記伝熱部材が前記器具に接触している
ことを特徴とする照明ユニット。
【請求項２】
前記伝熱部材は、長尺であり且つ前記ランプの長手方向に沿って配置され、
前記複数の発光部は、前記伝熱部材に取着されている
ことを特徴とする請求項１記載の照明ユニット。
【請求項３】
前記伝熱部材および前記器具のいずれか一方は、凸部を有し、他方が当該凸部に嵌合する凹部を有する
ことを特徴とする請求項１または請求項２に記載の照明ユニット。
【請求項４】
前記伝熱部材は、板状であり且つ厚み方向における一面側に前記凹部を有するとともに、他面側における前記凹部に対応する部位が突出している
ことを特徴とする請求項３記載の照明ユニット。
【請求項５】
前記伝熱部材は、細長の板材の短手方向における中央部を断面Ｖ字状に屈曲することにより形成される
ことを特徴とする請求項４記載の照明ユニット。
【請求項６】
前記凸部および前記凹部は、前記伝熱部材の長手方向および前記器具の長手方向に沿って設けられている
ことを特徴とする請求項３乃至５のいずれか１項に記載の照明ユニット。
【請求項７】
前記伝熱部材は、前記ランプの長手方向に直交する断面が円弧状の曲面を有し、
前記器具は、内周面が前記曲面の断面形状と略同じ曲面状に形成された凹部を有し、
前記伝熱部材は、前記器具の前記凹部に嵌合する
ことを特徴とする請求項１記載の照明ユニット。
【請求項８】
前記器具における少なくとも伝熱部材に接触する部位が、熱伝導性材料からなる
ことを特徴とする請求項１乃至７のいずれか１項に記載の照明ユニット。
【請求項９】
前記器具は、前記発光部に電力を供給する電源装置を備え、
前記ランプは、前記２つの保持部材のうちの少なくとも一方を介して、前記電源装置と電気的に接続される
ことを特徴とする請求項１乃至８のいずれか１項に記載の照明ユニット。
【請求項１０】
前記ランプは、前記発光部に電力を供給する電源装置を備え、
前記電源装置は、前記伝熱部材の一部に固定されてなる
ことを特徴とする請求項１乃至８のいずれか１項に記載の照明ユニット。
【請求項１１】
前記保持部材は、前記ランプが前記器具に装着された状態で、前記ランプを前記器具に近づける方向へ付勢する付勢手段を有する
ことを特徴とする請求項１乃至１０のいずれか１項に記載の照明ユニット。
【請求項１２】
列状に配列された複数の発光部と、前記複数の発光部を収納する長尺の外囲器とを有するランプであって、
前記外囲器は、少なくとも一部が、前記器具に対向する面が露出した状態であって、前記複数の発光部で発生した熱を伝熱する伝熱部材から構成され、
ことを特徴とするランプ。
【発明の詳細な説明】
【技術分野】
【０００１】
本発明は、照明ユニットに関し、特に、放熱性の向上に関する。
【背景技術】
【０００２】
近年、ハロゲン電球、蛍光ランプのような各光源装置の分野では省資源化の要請が高まっており、省電力かつ長寿命なＬＥＤ（発光ダイオード）を利用した直管型の照明ユニットが提案されている（特許文献１参照）。
この種の照明ユニットは、長尺のランプと、ランプの長手方向における両端部を保持するソケットを有する器具とを備えるものが一般的である。そして、このような照明ユニットでは、ランプで発生した熱がソケットを介して器具側に伝熱され、器具から外気に放熱される。
【先行技術文献】
【特許文献】
【０００３】
【特許文献１】特開２０１１−１７１０７６号公報
【発明の概要】
【発明が解決しようとする課題】
【０００４】
ところで、ＬＥＤの高出力化されつつあり、このような高出力のＬＥＤを用いたランプでは、ランプで発生する熱量が増大している。従って、このような高出力のＬＥＤを用いたランプを備えた照明ユニットでは、ランプで発生した熱をランプの両端部を保持するソケットを介して器具側に放熱するだけでは、点灯時におけるランプの温度上昇を十分に抑制することができないおそれがある。そして、このようなランプの温度上昇は、ランプに用いられるＬＥＤの発光効率の低下を招くため、抑制する必要がある。
【０００５】
本発明は、上記の課題に鑑みてなされたものであり、放熱性の向上を図ることができる照明ユニットを提供することを目的とする。
【課題を解決するための手段】
【０００６】
上記目的を達成するために、本発明に係る照明ユニットは、列状に配列された複数の発光部と、複数の発光部を収納する長尺の外囲器とを有するランプと、外囲器を保持する保持部材を有する器具とを備え、外囲器は、少なくとも一部が、器具に対向する面が露出した状態であって複数の発光部で発生した熱を伝熱する伝熱部材から構成され、伝熱部材が前記器具に接触している。
【発明の効果】
【０００７】
本構成によれば、外囲器の一部が伝熱部材により構成されており、外囲器の両端部が保持部材により保持された状態で、器具の一部が伝熱部材に接触する。これにより、発光部で発生した熱の熱伝導による放熱経路として、ソケットを介して器具側に至る経路に加えて、発光部から伝熱部材を介して器具側に至る経路が確保されることにより、外囲器の両端部が保持部材により保持された状態で、器具が伝熱部材に接触しない構成の照明ユニットに比べて、発光部で発生した熱の放熱特性を向上させることができる。
【図面の簡単な説明】
【０００８】
【図１】実施の形態１に係る照明ユニットの分解斜視図である。
【図２】実施の形態１に係るランプを示し、（ａ）は分解斜視図、（ｂ）は斜視図である。
【図３】実施の形態１に係る発光部を示し、（ａ）は斜視図、（ｂ）は断面図である。
【図４】実施の形態１に係る給電側ソケットを示し、（ａ）および（ｂ）は分解斜視図、（ｃ）は斜視図である。
【図５】実施の形態１に係る照明ユニットの断面図である。
【図６】実施の形態１に係る給電側ソケットの動作説明図である。
【図７】実施の形態１に係る給電側ソケットの動作説明図である。
【図８】実施の形態１に係る非給電側ソケットを示し、（ａ）および（ｂ）は分解斜視図、（ｃ）は斜視図である。
【図９】実施の形態１に係る非給電側ソケットの動作説明図である。
【図１０】実施の形態１に係る照明ユニットの一部破断した側面図である。
【図１１】実施の形態２に係る照明ユニットの分解斜視図である。
【図１２】実施の形態２に係るランプを示し、（ａ）は分解斜視図、（ｂ）は斜視図である。
【図１３】実施の形態３に係る照明ユニットを示し、（ａ）は分解斜視図、（ｂ）は断面図である。
【図１４】変形例に係る給電側ソケットの断面図である。
【発明を実施するための形態】
【０００９】
＜実施の形態１＞
以下、本実施の形態に係る照明ユニット１の構成について説明する。
図１は照明ユニット１の分解斜視図であり、図２は、照明ユニット１の一部を構成するランプ３０を示し、（ａ）は斜視図、（ｂ）は分解斜視図、図３は、照明ユニット１の断面図である。
【００１０】
図１に示すように、照明ユニット１は、長尺の器具１０と、長尺のランプ３０とを備える。ここで、ランプ３０は、その長手方向が器具１０の長手方向に一致した状態で器具１０に取着される。また、この照明ユニット１は、例えば、天井材（図示せず）等に取り付けられて使用される。なお、照明ユニット１とは、器具１０とランプ３０とを組み合わせたものを意味する。
＜１＞ランプ
図２（ａ）に示すように、ランプ３０は、長尺の光源ユニット３１と、光源ユニット３１が取着され光源ユニット３１で発生した熱を放熱する長尺の伝熱部材である伝熱板３２と、透光性材料（例えば、アクリル樹脂等）により形成され伝熱板３２における光源ユニット３１が取着される側を覆う樋状の透光性カバー３３と、伝熱板３２および透光性カバー３３の長手方向における両端側に取着された一対の口金３４，３５とを備える。ここで、伝熱板３２、透光性カバー３３および口金３４，３５から、光源ユニット３１を収納する長尺の外囲器が構成される（図２（ｂ）参照）。
＜１−１＞光源ユニット
光源ユニット３１は、長尺の基板３１ａと、基板３１ａの厚み方向の一面側で長手方向に沿って配設された複数（図２（ａ）では、３０個）のＬＥＤを用いた発光部３１ｂとを備える。
【００１１】
図３（ａ）および（ｂ）に示すように、発光部３１ｂは、ＬＥＤチップ１３１０と、一表面側にＬＥＤチップ１３１０への給電用の導体パターン１３２３を有しＬＥＤチップ１３１０が上記一表面側に実装された矩形板状の実装基板１３２０と、サブマウント部材１３３０とを備える。また、発光部３１ｂは、ＬＥＤチップ１３１０から放射された光の配光を制御する光学部材１３６０を備えている。光学部材１３６０は、透光性材料からドーム状に形成されており、実装基板１３２０との間にＬＥＤチップ１３１０を収納した状態で実装基板１３２０の上記一表面側に固着されている。光学部材１３６０と実装基板１３２０とで囲まれた空間には、ＬＥＤチップ１３１０および当該ＬＥＤチップ１３１０に電気的に接続された複数本（図３（ｂ）では２本）のワイヤ１３１４を封止した透光性の封止材１３５０が充填されている。ここで、封止材１３５０は、例えば、シリコーン樹脂等を用いればよい。また、発光部３１ｂは、ＬＥＤチップ１３１０から放射され封止材１３５０および光学部材１３６０を透過した光によって励起されてＬＥＤチップ１３１０の発光色とは異なる色の光を放射する蛍光体および透光性材料からなるドーム状の色変換部材１３７０とを備えている。ここで、色変換部材１３７０は、実装基板１３２０の上記一表面側において実装基板１３２０との間にＬＥＤチップ１３１０を囲むように配設されている。また、色変換部材１３７０は、実装基板１３２０の上記一表面側において光学部材１３６０の光出射面１３６０ｂとの間に空気層１３８０が形成されるように配設されている。
【００１２】
ＬＥＤチップ１３１０は、青色光を放射するＧａＮ系青色ＬＥＤチップである。このＬＥＤチップ１３１０は、一表面側（図３（ｂ）における上面側）にアノード電極（図示せず）が形成され、他表面側（図３（ｂ）における下面側）にカソード電極（図示せず）が形成されている。また、ＬＥＤチップ１３１０は、サブマウント部材１３３０を介して実装基板１３２０に実装されている。このサブマウント部材１３３０は、例えば、シリコンから形成されている。
【００１３】
実装基板１３２０は、金属からなる金属板１３２１と、ポリイミドからなり金属板１３２１におけるＬＥＤチップ１３１０が実装される面側に固着された絶縁フィルム１３２２と、絶縁フィルム１３２２の一表面側にＬＥＤチップ１３１０への給電用の一対の導体パターン１３２３と、各導体パターン１３２３および絶縁フィルム１３２２において導体パターン１３２３が形成されていない部位を覆う白色の樹脂レジストからなる保護膜１３２６とから構成されている。ここで、絶縁フィルム１３２２の略中央部には、サブマウント部材１３３０を露出させるための矩形状の窓孔１３２４が形成されている。従って、ＬＥＤチップ１３１０は、サブマウント部材１３３０を介して金属板１３２１に実装されることになる。保護膜１３２６は、窓孔１３２４に近傍において各導体パターン１３２３の２箇所が露出し、絶縁フィルム１３２２の周部において各導体パターン１３２３の１箇所が露出するようにパターンニングされている。ここにおいて、窓孔１３２４の近傍において導体パターン１３２３が露出した部位が、ワイヤ１３１４が接続される端子部１３２３ａを構成し、絶縁フィルム１３２２の周部において導体パターン１３２３が露出した部位が外部接続用電極部１３２３ｂを構成している。
＜１−２＞伝熱板（伝熱部材）
図２（ａ）および（ｂ）に示すように、伝熱板３２は、矩形板状の金属板（例えば、アルミニウム板やクロムフリーの亜鉛鋼板等）の短手方向の両側を折曲することにより形成されており、細長の矩形板状の主片３２ａと、主片３２ａの短手方向の両側縁から主片３２ａに直交する一方向に延設された一対の側片３２ｂと、一対の側片３２ｂの主片３２ａ側とは反対側の端部から互いに離れる方向に突出する鍔部３２ｃとから構成されている。即ち、伝熱板３２は、長手方向に直交する断面が下向きに開放されたコ字状となっている。図２（ｂ）に示すように、この伝熱板３２は、主片３２ａの厚み方向における光源ユニット３１が取着される一面側とは反対側の他面側が外囲器の外周面に露出している。なお、この伝熱板３２は、金属に限らず、例えば、セラミックスや熱伝導性樹脂等の熱伝導率の高い材料でもよい。
＜１−３＞透光性カバー
透光性カバー３３は、長手方向に沿った両端部それぞれの内側に透光性カバー３３の長手方向に沿って形成された２つのリブ３３ａ，３３ｂが突設されている。この２つのリブ３３ａ，３３ｂの間隔は、伝熱板３２の鍔部３２ｃの厚みと略同じである。そして、伝熱板３２は、透光性カバー３３の片端側から鍔部３２ｃを２つのリブ３３ａ，３３ｂの間に挿入し、鍔部３２ｃの２つのリブ３３ａ，３３ｂの間に嵌合させることで、透光性カバー３３に固定される。これにより、伝熱板３２に透光性カバー３３を固定する作業が容易となるとともに、接着剤等の固着材が不要となるので部材コストの低減を図ることもできる。また、２つのリブ３３ａ，３３ｂは、透光性カバー３３の長手方向全体に亘って設けられているので、その分、透光性カバー３３の伝熱板３２への固定強度を大きくしている。ここで、透光性カバー３３の長手方向の長さは、伝熱板３２の長手方向の長さに比べて短く、伝熱板３２が透光性カバー３３に固定された状態では、透光性カバー３３の長手方向における両端側から伝熱板３２の長手方向における両端部が突出している。これにより、伝熱板３２と器具１０のカバー１６の主片１７との接触面積が増加し、伝熱特性が向上している。
＜１−４＞口金
口金３４の外周面からは、ランプ３０をソケット５０に固定するとともに光源ユニット３１に電力を供給するための一対のＬ字状の口金ピン３４ａが突出している。また、口金３５の外周面からは、平板状の頭部３５ａ１と頭部３５ａ１の厚み方向の片面側に設けられた軸部３５ａ２とからなりランプ３０をソケット６０に固定するための固定用ピン３５ａが突出している。ここで、頭部３５ａ１は、伝熱板３２の主片３２ａに直交する方向における端面に平坦部３５ａ３が形成されている。この口金３４，３５は、上記外囲器の長手方向における両端部を構成する。
＜２＞器具
図１に示すように、器具１０は、長尺のボディ１１と、ボディ１１に取着される長尺のカバー１６と、ボディ１１の内側の空間に配置されランプ３０に電力を供給する電源装置２０と、外部電源から供給される電力を電源装置２０に出力する端子台２５と、上記外囲器の長手方向における両端部を構成する口金３４，３５を保持するソケット（保持部材）５０，６０とを備える。なお、以下の説明では、２つのソケット５０，６０のうち、ボディ１１の長手方向における一端部に固定され電源装置２０からランプ３０への給電路の一部を構成するソケット５０を適宜「給電側ソケット５０」と称し、ボディ１１の長手方向における他端部に固定され、給電を行わずランプ３０を保持する機能のみを有するソケット６０を適宜「非給電側ソケット６０」と称する。また、電源装置２０および端子台２５とは、ボディ１１に対して交換可能に取着されている。
＜２−１＞ボディ
ボディ１１は、直方体の長手方向に沿った一面が開放した箱状の主部１２と、主部１２の長手方向における両端側の側壁１２ａ，１２ｂにおける上記一面側で連続し且つ各側壁１２ａ，１２ｂに沿って延設された矩形板状の側片１３ａ，１３ｂと、各側片１３ａ，１３ｂにおける主部１２の側壁１２ａ，１２ｂに連続する一端側とは反対側の他端側から互いに近づく方向に延出しソケット５０，６０が固定される矩形板状の固定片１４ａ，１４ｂとから構成される。ここで、ボディ１１の短手方向において、側壁１２ａ，１２ｂ、側片１３ａ，１３ｂおよび固定片１４ａ，１４ｂの幅は一致している。また、固定片１４ａ，１４ｂそれぞれには、互いに対向する側が開放した矩形状の切欠部１４ａ１，１４ｂ１が設けられている。また、ボディ１１の底壁１２ｃには、例えば、外部電源（例えば、商用電源からなる交流電源、直流電源等）に接続され上記天井材における裏側を通る電源線をボディ１１の内側に引き込むための電源線用孔１２ｄが穿設されている。
【００１４】
また、ボディ１１は、例えば、金属板（例えば、アルミニウム板やクロムフリーの亜鉛鋼板等）から形成されている。なお、ボディ１１の材料は、金属に限られず、熱伝導性の高い材料（例えば、熱伝導性樹脂やセラミックス等）であってもよい。
＜２−２＞カバー
カバー１６は、矩形板状の主片１７と、主片１７の短手方向の両側縁からに直交する一方向に延設された一対の矩形板状の側片１８とから構成される。即ち、カバー１６は、長手方向に沿った一面が上記一方向に開放した樋状に形成されている。そして、カバー１６の短手方向における一対の側片１８の間の間隔は、ボディ１１の主部１２の短手方向における幅と略同じ大きさであり、ボディ１１にカバー１６が取着された状態で主部１２の側壁１２ｅ，１２ｆがカバー１６の側片１８の内面に当接する。これにより、カバー１６からボディ１１への放熱経路が確保されている。ここで、カバー１６の長手方向における両端部には、内側にソケット５０，６０を挿通させるための矩形状の切欠部１７ａ１，１７ｂ１が設けられている。また、一対の側片１８は、互いに対向する面側とは反対側に複数のフィン１９を有している。フィン１９は、側片１８の長手方向に沿って形成されており、側片１８の短手方向に等ピッチで配列されている。
【００１５】
また、カバー１６は、例えば、金属板（例えば、アルミニウム板やクロムフリーの亜鉛鋼板等）から形成されている。なお、カバー１６の材料は、金属に限られず、熱伝導性の高い材料（例えば、熱伝導性樹脂やセラミックス等）であってもよい。
前述のように、器具１０を構成するボディ１１とカバー１６とが、金属板等の熱伝導性の高い材料からなることにより、ランプ３０から器具１０に伝熱しやすくなっている。これにより、ランプ３０の熱を器具１０を介して外気に放熱しやすくなっている。
＜２−３＞電源装置および端子台
電源装置２０は、直流電力を出力する電源であり、２本の給電線２１ａ，２１ｂが導出されている。各給電線２１ａ，２１ｂの先端部には、給電側ソケット５０の内部に設けられた後述の導電板に電気的に接続するためのコネクタピン２２ａ，２２ｂが設けられている。また、この電源装置２０は、端子台２５とも電源線（図示せず）を介して接続されており、端子台２５から当該電源線を介して電力供給を受ける。
＜２−４＞給電側ソケット
図４（ａ）に示すように、給電側ソケット５０は、一面が開放した扁平箱状のケース５１と、ケース５１の内部に配設され電源装置２０から供給される電力をランプ３０の一対の口金ピン３４ａに供給する一対の導電部材５２と、口金ピン３４ａを導電部材５２に接触させた状態で支持する支持部材５４と、ケース５１の開放部分を塞ぐ蓋体５５とを備える。
【００１６】
ケース５１は、板状の底壁５１ａと、底壁５１ａの周縁の一部から底壁５１ａに直交する一方向に延設された第１側壁５１ｂ１と、底壁５１ａの周縁のうち第１側壁５１ｂ１が延設された部位を除く部位から第１側壁５１ｂ１の延設方向と同じ方向に延設された第２側壁５１ｂ２とからなる箱状に形成されている。ここで、第１側壁５１ｂ１には、電源装置２０から導出される給電線２１ａ，２１ｂの先端部に設けられたコネクタピン２２ａ，２２ｂを挿通するための２つの孔５１ｃ１，５１ｃ２が貫設されている。そして、第１側壁５１ｂ１は、コネクタピン２２ａ，２２ｂを保持するために、第２側壁５１ｂ２よりも厚く形成されている。また、ケース５１の内側には、第１側壁５１ｂ１の孔５１ｃ１，５１ｃ２の外周部のうち孔５１ｃ１，５１ｃ２の並び方向における中央部側に連続し且つ第１側壁５１ｂ１に直交する方向に延長された２つの第１リブ５１ｄ１と、底壁５１ａにおける第１リブ５１ｄ１の延長方向の第１側壁５１ｂ１に近い側の端部近傍であり第１リブ５１ｄ１に対して一対の第１リブ５１ｄ１が互いに対向する面側とは反対側に位置する第２リブ５１ｄ２と、底壁５１ａにおける第１リブ５１ｄ１の延長方向の第１側壁５１ｂ１から遠い側の端部近傍であり第１リブ５１ｄ１に対して第２リブ５１ｄ２側と同じ側に位置する第３リブ５１ｄ３とが形成されている。
【００１７】
また、底壁５１ａには、第１リブ５１ｄ１の延長線上に、一対の第１リブ５１ｄ１それぞれの第１側壁５１ｂ１側とは反対側の端部近傍から上記延長線に沿って底壁５１ａの周縁まで延びる細長の第１スリット５１ｅが２つ形成されている。また、第２側壁５１ｂ２には、第１スリット５１ｅに連続し底壁５１ａの延設方向に延長されたＬ字状の第２スリット５１ｆが２つ形成されている。また、第２側壁５１ｂ２における２つの第２スリット５１ｆの間には、矩形状の切欠部５１ｊが形成されている。
【００１８】
更に、底壁５１ａには、第２側壁５１ｂ２の２つの第２スリット５１ｆそれぞれの外周部のうち第２スリット５１ｆの並び方向における中央部側に連続し且つ底壁５１ａにおける２つの第１スリット５１ｅそれぞれの外周部のうち第１スリット５１ｅの並び方向における中央部側に沿って延長された一対の第４リブ５１ｇ１と、一対の第４リブ５１ｇ１の延長方向における第２側壁５１ｂ２側とは反対側の端部同士を連結するように形成された第５リブ５１ｇ２と、第５リブ５１ｇ２から離間して配置された第６リブ５１ｇ３とが形成されている。
【００１９】
前述のように、ケース５１の内部には、第１リブ５１ｄ１、第２リブ５１ｄ２、第３リブ５１ｄ３、第４リブ５１ｇ１、第５リブ５１ｇ２および第６リブ５１ｇ３が配設されている。これにより、蓋体５５に対してケース５１の内部方向に撓ませる力が加わった場合でも、蓋体５５におけるケース５１内部側の面が第１リブ５１ｄ１、第２リブ５１ｄ２、第３リブ５１ｄ３、第４リブ５１ｇ１、第５リブ５１ｇ２および第６リブ５１ｇ３の少なくとも１つの先端部に当接し、蓋体５５の撓み量を制限するので、蓋体５５の破損が防止される。
【００２０】
また、第１側壁５１ｂ１の長手方向における両端には、第１側壁５１ｂ１の延設方向に延びる溝部５１ｈが形成されている。そして、底壁５１ａにおける２つの第１リブ５１ｄ１の間における第１側壁５１ｂ１側には、蓋体５５を係合するための係合孔５１ｉが形成されている。
導電部材５２は、細長の矩形板状の主片５２ａと、主片５２ａの一端部で連続し且つ主片５２ａに直交する方向に延出する細長の矩形板状の第１副片５２ｂと、一端部が主片５２ａに連続する第１副片５２ｂの他端部に連続し、主片５２ａに向かう方向に延出する延出片５２ｃと、主片５２ａの短手方向における片端縁で連続し且つ主片５２ａに対向配置される矩形板状の第２副片５２ｄとから構成される。ここで、第１副片５２ｂにおける主片５２ａに連続する側には、コネクタピン２２ａ，２２ｂを挿通させるための孔５２ｂ１が穿設されている。この孔５２ｂ１にコネクタピン２２ａ，２２ｂを挿入し、コネクタピン２２ａ，２２ｂの先端部が延出片５２ｃに当接した状態から、更に、コネクタピン２２ａ，２２ｂを押し込むと、延出片５２ｃが主片５２ａから離れる方向に撓む。そして、延出片５２ｃがコネクタピン２２ａ，２２ｂの側壁に弾接した状態でコネクタピン２２ａ，２２ｂが導電部材５２に固定される。この導電部材５２は、一対設けられており、互いに対称な形状を有する。この導電部材５２は、主片５２ａが、第１リブ５１ｄ１と第３リブ５１ｄ３との間に挿入された状態で第１リブ５１ｄ１と第３リブ５１ｄ３とで挟持されるとともに、第１副片５２ｂがケース５１の第１側壁５１ｂ１と第２リブ５１ｄ２との間の挿入された状態で第１側壁５１ｂ１と第２リブ５１ｄ２とで挟持された状態でケース５１に固定される。なお、第１リブ５１ｄ１および第３リブ５１ｄ３の先端部における互いに対向する側には、テーパ部５１ｄ１ａ，５１ｄ３ａが形成されており、また、第２リブ５１ｄ２の先端部における第１側壁５１ｂ１側にも、テーパ部５１ｄ２ａが形成されている。これにより、導電部材５２をケース５１に固定する際に、主片５２ａがテーパ部５１ｄ１ａ，５１ｄ３ａに沿って第１リブ５１ｄ１と第３リブ５１ｄ３との間に案内されるとともに、第１副片５２ｂがテーパ部５１ｄ２ａに沿って第２リブ５１ｄ２と第１側壁５１ｂ１との間に案内されるので、導電部材５２をケース５１に固定する作業がし易くなるという利点がある。
【００２１】
支持部材５４は、ランプ３０の口金ピン３４ａが載置される略直方体状の台座部５４ａと、台座部５４ａの一面側から延伸し支持部材５４がケース５１内に装着された状態で支持部材５４をケース５１に対して移動させるために用いるレバー５４ｂとを備える。レバー５４ｂの台座部５４ａに連続する一端側とは反対側の他端側は、ケース５１の第２側壁５１ｂ２に形成された切欠部５１ｊの内側を通ってケース５１の外側に突出している。また、台座部５４ａにおけるレバー５４ｂが設けられた一面側とは反対側の他面側には凹部５４ｃが形成されるとともに、当該他面と直交する面から当該他面に沿った方向に突出する突出部５４ｄが設けられている。更に、この突出部５４ｄには、上記他面と直交する方向から見てＬ字状に形成され、ランプ３０をソケット５０に取着する際にＬ字状の口金ピン３４ａが挿通可能なスリット５４ｅが形成されている。この支持部材５４は、台座部５４ａの凹部５４ｃの底部にケース５１の第６リブ５１ｇ３が当接し台座部５４ａの上記一面が第５リブ５１ｇ２に当接した状態でケース５１に取着される。ここにおいて、支持部材５４は、第５リブ５１ｇ２に沿ってケース５１に対して移動可能となっている。
【００２２】
蓋体５５は、外形がケース５１の外形と略同じに形成されている。そして、蓋体５５をケース５１に取着した際に、溝部５１ｈに対応する部位に切欠部５５ａが形成されている。また、蓋体５５におけるケース５１の係合孔５１ｉに対応する部位には、係合爪５５ｂが突設されるとともに、第６リブ５１ｇ３に対応する部位には、支持部材５４の台座部５４ａの凹部５４ｃの底部に当接した状態で台座部５４ａを支持するリブ５５ｃが突設されている。この蓋体５５は、係合爪５５ｂをケース５１に形成された係合孔５１ｉに係合させることにより、ケース５１に取着される（図４（ｃ）参照）。
【００２３】
ところで、図５に示すように、この給電側ソケット５０は、器具１０の一部を構成するボディ１１に取着される。ここにおいて、ケース５１の溝部５１ｈにボディ１１の固定片１４ａにおける切欠部１４ａ１の外周部の一部が嵌合した状態で、給電側ソケット５０が、ボディ１１の固定片１４ａに取着される。このとき、ケース５１の第１側壁５１ｂ１が、器具１０の内側に露出しており、器具１０の内部に配置された電源装置２０から導出された給電線２１ａ，２１ｂが、第１側壁５１ｂ１に貫設された孔５１ｃ１，５１ｃ２に挿通されている。
【００２４】
次に、非給電側ソケット６０へのランプ３０の取着方法について図６および図７を用いて説明する。
まず、ランプ３０の口金３４を器具１０の下側から近づけて（図６（ａ）矢印参照）、口金３４の口金ピン３４ａをケース５１の第２側壁５１ｂ２の第２スリット５１ｆに挿通させる（図６（ｂ）参照）。
【００２５】
次に、口金ピン３４ａをケース５１の底壁５１ａに形成された第１スリット５１ｅに沿って移動させ、支持部材５４の突出部５４ｄに形成されたスリット５４ｅに挿通させる（図７（ａ）の矢印参照）。
その後、口金ピン３４ａを導電部材５２の主片５２ａと第２副片５２ｄとの間に挿入してから、レバー５４ｂを用いて支持部材５４を第５リブ５１ｇ２に沿った一方向に移動させると（図７（ｂ）の矢印参照）、口金ピン３４ａが導電部材５２に接触した状態で、ランプ３０の口金３４が給電側ソケット５０に取着される。一方、レバー５４ｂを上記一方向とは反対方向に移動させると、口金３４を給電側ソケット５０から離脱させることができる。このように、レバー５４ｂを操作することにより、ランプ３０の器具１０への着脱が行えるので、ランプ３０の器具１０への着脱作業の作業性を向上させることができる。
＜２−５＞非給電側ソケット
図８（ａ）に示すように、非給電側ソケット６０は、一面が開放した扁平箱状のケース６１と、ケース６１の開放部分を塞ぐ蓋体６２とを備える。
【００２６】
ケース６１は、板状の底壁６１ａと、底壁６１ａの周縁の一部から底壁６１ａに直交する一方向に延設された第１側壁６１ｂ１と、底壁６１ａの周縁のうち第１側壁６１ｂ１が延設された部位を除く部位から第１側壁６１ｂ１の延設方向と同じ方向に延設された第２側壁６１ｂ２とからなる箱状に形成されている。また、ケース６１の内側には、第１側壁６１ｂ１に連続し且つ第１側壁６１ｂ１に直交する方向に延長された２つの第１リブ６１ｄ１と、底壁６１ａにおける第１リブ６１ｄ１の延長方向の第１側壁６１ｂ１に近い側の端部近傍であり第１リブ６１ｄ１に対して２つの第１リブ６１ｄ１が互いに対向する面側とは反対側に位置する第２リブ６１ｄ２と、底壁６１ａにおける第１リブ６１ｄ１の延長方向の第１側壁６１ｂ１から遠い側の端部近傍であり第１リブ６１ｄ１に対して第２リブ６１ｄ２側と同じ側に位置する第３リブ６１ｄ３とが形成されている。このように、ケース６１の内部に第１リブ６１ｄ１、第２リブ６１ｄ２および第３リブ６１ｄ３が配設されていることにより、蓋体６２に対してケース６１の内部方向に撓ませる力が加わったときに、蓋体６２におけるケース６１内部側の面が第１リブ６１ｄ１、第２リブ６１ｄ２および第３リブ６１ｄ３の先端部に当接し、蓋体６２の撓み量を制限するので、蓋体６２の破損が防止される。
【００２７】
また、底壁６１ａには、一対の第１リブ６１ｄ１の並び方向における中央部を通り且つ第１リブ６１ｄ１の延長方向に沿って延びる仮想軸上に、第１リブ５１ｄ１の第１側壁６１ｂ１側とは反対側の端部近傍から当該仮想軸に沿って底壁６１ａの周縁まで延びる細長の第１スリット６１ｅが形成されている。また、第２側壁６１ｂ２には、スリット６１ｅに連続し第２側壁６１ｂ２の延設方向に延長されたＴ字状の第２スリット６１ｆが形成されている。
【００２８】
また、第１側壁６１ｂ１の長手方向における両端には、第１側壁６１ｂ１の延設方向に延びる溝部６１ｈが形成されている。そして、底壁６１ａにおける一対の第１リブ６１ｄ１の間における第１側壁６１ｂ１側には、蓋体６２を係合するための係合孔６１ｉが形成されている。
蓋体６２は、外形がケース６１の外形と略同じに形成されている。そして、蓋体６２をケース６１に取着した際に、溝部６１ｈに対応する部位に切欠部６２ａが形成されている。また、蓋体６２におけるケース６１の係合孔６１ｉに対応する部位には、係合爪６２ｂが突設されるとともに、第１スリット６１ｅにおける第１側壁６１ｂ１側の端部に対応する部位には、リブ６２ｃが突設されている。この蓋体６２は、係合爪６２ｂをケース６１に形成された係合孔６１ｉに係合させることにより、ケース６１に取着される（図８（ｃ）参照）。
【００２９】
次に、非給電側ソケット６０へのランプ３０の取着方法について図９を用いて説明する。
まず、ランプ３０の口金３５を器具１０の下側から近づけて（図９（ａ）矢印参照）、口金３５の固定用ピン３５ａをケース６１の第２側壁６１ｂ２の第２スリット６１ｆに挿通させる。
【００３０】
次に、ランプ３０全体を器具１０の長手方向に沿った一方向に移動させた後（図９（ｂ）の矢印ＡＲ１）、固定用ピン３５ａをケース６１の底壁６１ａに形成された第１スリット６１ｅに沿って移動させ、リブ６２ｃとケース６１の底壁６１ａとの間の空隙を通過させる（図９（ｂ）の矢印ＡＲ２参照）。
その後、固定用ピン３５ａの軸部３５ａ２を第１スリット６１ｅの第２スリット６１ｆに連続する側とは反対側の端部まで移動させてから、再び、ランプ３０を上記一方向とは反対方向に移動させることで（図９（ｃ）の矢印参照）、固定用ピン３５ａの頭部３５ａ１がリブ６２ｃにおける第１スリット６１ｅ側とは反対側の面に載置される（図９（ｃ）参照）。なお、図９（ａ）乃至（ｃ）で説明した手順を逆の手順で行うと、ランプ３０を非給電側ソケット６０から離脱させることができる。
＜３＞まとめ
ところで、ランプ３０は、図１０（ａ）に示すように、器具１０におけるソケット５０，６０が突出する側から近づけて、口金３５を非給電側ソケット６０に取着してから、口金３４を給電側ソケット５０に取着することで、図１０（ｂ）に示すように、ソケット５０，６０で保持された状態となる。
【００３１】
ここで、ランプ３０における口金３４の口金ピン３４ａの伝熱板３２側とは反対側の面から伝熱板３２における外囲器の外側に露出した面との間の距離Ｌ１２と、器具１０の給電側ソケット５０の支持部材５４におけるカバー１６の主片１７側の面と主片１７の表面との間の距離Ｌ１１とが略等しい。また、ランプ３０における口金３５の固定用ピン３５ａの頭部３５ａ１の伝熱板３２側とは反対側の面３５ａ３から伝熱板３２における外囲器の外側に露出した面との間の距離Ｌ２２と、器具１０の非給電側ソケット６０内のリブ６２ｃにおけるカバー１６側の面とカバー１６の主片１７の表面との間の距離Ｌ２１とが略等しい。これにより、ランプ３０が器具１０に取着された状態で、ランプ３０の伝熱板３２がカバー１６の主片１７に当接する。これにより、発光部３１ｂで発生した熱は、基板３１ａを介して伝熱板３２に伝熱し、その後、伝熱板３２とカバー１６の主片１７との当接面を介して器具１０のカバー１６に伝熱する。そして、カバー１６に伝熱した熱は、カバー１６の側片１８に設けられたフィン１９の外表面から外気に放熱されたり、カバー１６とボディ１１との当接面を介してボディ１１側に伝熱してボディ１１から器具１０が取り付けられる天井材等へ放熱される。
【００３２】
また、ランプ３０は、口金３４を給電側ソケット５０から離脱させてから、口金３５を非給電側ソケット６０から離脱させることで、ソケット５０，６０から取り外された状態となる。このように、ランプ３０は、ソケット５０，６０に着脱自在に取着されているので、ランプ３０が故障等した場合に交換することができる。
結局、本実施の形態に係る照明ユニット１では、ランプ３０の上記外囲器の外周面に発光部３１ｂで発生した熱を伝熱する伝熱板３２が露出しており、ランプ３０の上記外囲器の両端部に相当する口金３４，３５がソケット５０，６０により保持された状態で、器具１０のカバー１６の主片１７が伝熱板３２に接触する。これにより、発光部３１ｂで発生した熱の熱伝導による放熱経路として、基板３１ａおよびソケット５０，６０を介して器具１０側に至る経路に加えて、発光部３１ｂから基板３１ａおよび伝熱板３２を介して器具１０側に至る放熱経路も確保することにより、外囲器の両端部がソケットにより保持された状態で器具がランプの伝熱板に接触しない構成の照明ユニットに比べて、発光部３１ｂで発生した熱の放熱特性を向上させることができる。
【００３３】
また、ランプ３０において、伝熱板３２は、光源ユニット３１の発光部３１ｂの光出射方向とは反対側に配置されている。これにより、光源ユニット３１の各発光部３１ｂから放射される光の光の取出し効率の低下を抑制できるので、照明ユニットへの投入電力に対するランプ３０から放射される光量を大きくすることができるから、照明ユニットにおける電力使用効率の向上を図ることができる。
＜実施の形態２＞
以下、本実施の形態に係る照明ユニット２の構成について説明する。
【００３４】
図１１は照明ユニット２の分解斜視図である。図１２は、ランプ２３０を示し、（ａ）は斜視図、（ｂ）は分解斜視図である。
図１１に示すように、照明ユニット２は、実施の形態１に係る照明ユニット１と略同様の構成であり、器具２１０およびランプ２３０の構成の一部が相違する。なお、実施の形態１と同様の構成については同一の符号を付して適宜説明を省略する。
＜１＞ランプ
図１２に示すように、ランプ２３０は、２つの長尺の光源ユニット３１と、光源ユニット３１が取着され光源ユニット３１で発生した熱を放熱する長尺の伝熱部材である伝熱板２３２と、透光性材料（例えば、アクリル樹脂等）により形成され伝熱板２３２における光源ユニット３１が取着される側を覆う樋状の透光性カバー３３と、伝熱板２３２および透光性カバー２３３の長手方向における両端側に取着された一対の口金３４，３５とを備える。伝熱板２３２、透光性カバー２３３および口金３４，３５から、２つの光源ユニット３１を収納する長尺の外囲器が構成される。なお、光源ユニット３１、透光性カバー３３および口金３４，３５の構造は、実施の形態１と同様なので、ここでは説明を省略する。
【００３５】
伝熱板２３２は、矩形板状の金属板（例えば、アルミニウム板やクロムフリーの亜鉛鋼板等）を折曲することにより形成されており、短手方向における略中央部が断面Ｖ字状に屈曲してなる主片２３２ａと、主片２３２ａの短手方向の両側縁から主片２３２ａに直交する一方向に延設された一対の側片２３２ｂと、一対の側片２３２ｂの主片２３２ａ側とは反対側の端部から互いに離れる方向に突出する鍔部２３２ｃとから構成されている。ここで、主片２３２ａにおける断面Ｖ字状に屈曲した部位（以下、「Ｖ字状部位」と称す。）２３２ａ１は、主片２３２ａの長手方向における全体に亘って形成されており、厚み方向における一面側に突出するとともに他面側が一面側への突出量と略同じ深さ量だけ窪んでいる。つまり、主片２３２ａの厚み方向における他面側に凹部２３２ａ４が形成されることになる。このＶ字状部位２３２ａ１は、上記一面側に互いに交差する２つの第１斜面２３２ａ２から構成される部位を有するとともに、上記他面側に互いに交差する２つの第２斜面２３２ａ３から構成される凹部２３２ａ４を有している。そして、第１斜面２３２ａ２それぞれに光源ユニット３１が固着されている。また、伝熱板２３２の２つの第２斜面２３２ａ３から構成される凹部２３２ａ４が上記外囲器の外周面に露出しており、この凹部２３２ａ４に後述の器具２１０のカバー２１６に設けられた凸部２１７ｃが嵌合する。
＜２＞器具
図１１に示すように、器具２１０は、長尺のボディ１１と、ボディ１１に取着される長尺のカバー２１６と、ボディ１１の内側の空間に配置されランプ２３０に電力を供給する電源装置（図示せず）と、外部電源から供給される電力を電源装置に出力する端子台（図示せず）と、ランプ２３０の上記外囲器の長手方向における両端部を構成する口金３４，３５を保持するソケット（保持部材）５０，６０とを備える。なお、ボディ１１、電源装置、端子台およびソケット５０，６０については、実施の形態１と同様なので説明を省略する。
【００３６】
カバー２１６は、矩形板状の主片２１７と、主片２１７の短手方向の両側縁から主片２１７に直交する一方向に延設された一対の矩形板状の側片２１８とから構成される。即ち、カバー２１６は、長手方向に沿った一面が開放した樋状に形成されている。そして、ボディ１１にカバー２１６が取着された状態でボディ１１の側壁の一部がカバー２１６の側片２１８の内面に当接する。これにより、カバー２１６からボディ１１への放熱経路が確保されている。ここで、主片２１７の長手方向における両端部には、内側にソケット５０，６０を挿通させるための矩形状の切欠部２１７ａ１，２１７ｂ１が設けられている。また、一対の側片２１８は、互いに対向する面側とは反対側に複数のフィン２１９を有している。フィン２１９は、側片２１８の長手方向に沿って形成されており、側片２１８の短手方向に等ピッチで配列されている。
【００３７】
そして、カバー２１６の主片２１７の短手方向における略中央部には、主片２１７の長手方向に沿って延長された断面三角形状の凸部２１７ｃが形成されている。
また、カバー２１６は、例えば、金属板（例えば、アルミニウム板やクロムフリーの亜鉛鋼板等）から形成されている。なお、カバー２１６の材料は、金属に限られず、熱伝導性の高い材料（例えば、熱伝導性樹脂やセラミックス等）であってもよい。
【００３８】
ところで、ランプ２３０がソケット５０，６０で保持された状態において、ランプ２３０は、伝熱板２３２の主片２３２ａにおけるＶ字状部位２３２ａ１の上記他面側に形成された凹部２３２ａ４に、カバー２１６の主片２１７に設けられた凸部２１７ｃが嵌合されている。つまり、Ｖ字状部位２３２ａ１の第２斜面２３２ａ３に凸部２１７ｃの外周面が当接している。これにより、発光部３１ｂで発生した熱は、基板２３２ａを介して伝熱板３２に伝熱し、その後、伝熱板３２における第２斜面２３２ａ３とカバー２１６の主片２１７に設けられた凸部２１７ｃとの当接面を介して器具２１０のカバー２１６に伝熱する。そして、カバー２１６に伝熱した熱は、カバー２１６の側片２１８に設けられたフィン２１９の外表面から外気に放熱されたり、カバー２１６とボディ１１との当接面を介してボディ１１側に伝熱してボディ１１から器具２１０が取り付けられる天井材等へ放熱される。
【００３９】
結局、本実施の形態に係る照明ユニット２では、伝熱板２３２がＶ字状部位２３２ａ１を有し、一方、器具２１０のカバー２１６の主片２１７にＶ字状部位２３２ａ１の上記他面側に形成された凹部２３２ａ４に嵌合する凸部２１７ｃが設けられていることにより、ランプ２３０の両端部がソケット５０，６０により保持された状態における器具２１０と伝熱板２３２との接触面積を広くすることができるので、伝熱板２３２に伝熱した熱が器具２１０へ伝熱しやすくなり、その分、放熱特性の向上を図ることができる。
【００４０】
また、光源ユニット３１が、Ｖ字状部位２３２ａ１における互いに交差する２つの第１斜面２３２ａ２それぞれに固着されていることにより、光源ユニット３１から第１斜面２３２ａ２それぞれに直交する方向に光が放射されるので、その分、ランプ２３０から放射される光の照射範囲を広げることができる。また、伝熱板２３２が、Ｖ字状部位２３２ａ１を有することにより、光源ユニット３１の配置可能な部位の面積が広がる。これにより、光源ユニット３１から伝熱板２３２に伝熱した熱の集中を緩和することができる。
【００４１】
更に、器具２１０のカバー２１６の主片２１７に設けられた凸部２１７ｃが、Ｖ字状部位２３２ａ１の上記他面側に形成された凹部２３２ａ４に嵌合する構造であることにより、ランプ２３０の器具２１０に対する移動が規制され、外部から照明ユニットに振動が加わった場合におけるランプ２３０の移動に伴いソケット５０，６０に加わる応力を緩和することができる。
【００４２】
また、Ｖ字状部位２３２ａ１が、伝熱板２３２の長手方向全体に亘って設けられていることにより、その分、ランプ２３０と器具２１０のカバー２１６との間の接触面積を広くすることができるので、光源ユニット３１から伝熱板２３２に伝熱した熱がカバー２１６に伝熱しやすくなり、放熱性の向上を図ることができる。
また、ランプ２３０を器具２１０に取り付ける際に、器具２１０に対するランプ２３０の位置決めを行い易くなるので、取り付け作業における作業性向上を図ることができる。
＜実施の形態３＞
以下、本実施の形態に係る照明ユニット３の構成について説明する。
【００４３】
図１３は、本実施の形態に係る照明ユニット３を示し、（ａ）は分解斜視図、（ｂ）は断面図である。
図１３（ａ）に示すように、照明ユニット３は、実施の形態１に係る照明ユニット１と略同様の構成であり、器具３１０のカバー３１６およびランプ３３０の構成の一部のみが相違する。なお、実施の形態１と同様の構成については同一の符号を付して適宜説明を省略する。
＜１−２＞ランプ
図１３（ｂ）に示すように、ランプ３３０は、光源ユニット３１と、光源ユニット３１が取着され光源ユニット３１で発生した熱を放熱する伝熱部材である伝熱板３３２と、透光性材料（例えば、アクリル樹脂等）により形成され伝熱板３３２における光源ユニット３３１が取着される側を覆う樋状の透光性カバー３３３と、伝熱板３３２および透光性カバー３３３の長手方向における両端側に取着された一対の口金３３４，３３５とを備える。伝熱板３３２、透光性カバー３３３および口金３３４，３３５から、光源ユニット３１を収納する長尺の外囲器が構成される。なお、光源ユニット３１の構造は、実施の形態１と同様なので、ここでは説明を省略する。
【００４４】
伝熱板３３２は、光源ユニット３１が配設される平坦面３３２ａと当該平坦面３３２ａに直交する方向に凸となるような曲面３３２ｂとを有する細長の柱状部材である。そして、曲面３３２ｂにおける曲面３３２ｂに沿った方向の両端部には、伝熱板３３２の長手方向に沿って溝部３３２ｃが形成されている。この伝熱板３３２は、アルミニウム等の金属から形成されている。この伝熱板３３２の曲面３３２ｂが、上記外囲器の外周面に露出している。
【００４５】
透光性カバー３３３は、長手方向に直交する方向における両端部それぞれの内側に透光性カバー３３３の長手方向に沿って形成された２つのリブ３３３ａが突設されている。そして、伝熱板３３２は、透光性カバー３３３の片端側からリブ３３３ａを溝部３３２ｃに嵌合させることで、透光性カバー３３３に固定される。ここで、透光性カバー３３３の長手方向の長さは、伝熱板３３２の長手方向の長さと略同じである。
【００４６】
口金３３４，３３５は、有底円筒状に形成されている。そして、口金３３４の底壁からは、ランプ３３０をソケット５０に固定するとともに光源ユニット３１に電力を供給するための一対のＬ字状の口金ピン３３４ａが突出している。また、口金３３５の底壁からは、ランプ３３０をソケット６０に固定するための固定用ピン（図示せず）突出している。ここで、伝熱板３３２、透光性カバー３３３および口金３３４，３３５から、光源ユニット３１を収納する長尺の外囲器が構成される。
＜２＞器具
器具３１０は、長尺のボディ１１と、ボディ１１に取着される長尺のカバー３１６と、ボディ１１の内側の空間に配置されランプ３３０に電力を供給する電源装置（図示せず）と、外部電源から供給される電力を電源装置に出力する端子台（図示せず）と、ランプ３３０の上記外囲器の長手方向における両端部を構成する口金３４，３５を保持するソケット（保持部材）５０，６０とを備える。なお、ボディ１１、電源装置、端子台およびソケット５０，６０については、実施の形態１と同様なので説明を省略する。
【００４７】
カバー３１６は、矩形板状の主片３１７と、主片３１７の短手方向の両側縁から主片３１７に直交する一方向に延設された一対の矩形板状の側片３１８とから構成される。即ち、カバー３１６は、長手方向に沿った一面が開放した樋状に形成されている。そして、ボディ１１にカバー３１６が取着された状態でボディ１１の側壁の一部がカバー３１６の側片３１８の内面に当接する。これにより、カバー３１６からボディ１１への放熱経路が確保されている。ここで、主片３１７の長手方向における両端部には、内側にソケット５０，６０を挿通させるための矩形状の切欠部３１７ａ１，３１７ｂ１が設けられている。また、一対の側片３１８は、互いに対向する面側とは反対側に複数のフィン３１９を有している。フィン３１９は、側片３１８の長手方向に沿って形成されており、側片３１８の短手方向に等ピッチで配列されている。
【００４８】
そして、カバー３１６の主片３１７の短手方向における略中央部には、主片３１７の長手方向に沿って延長され先端面に断面弧状の凹部３１７ｃ１が形成された突出部３１７ｃが設けられている。
また、カバー３１６は、例えば、金属板（例えば、アルミニウム板やクロムフリーの亜鉛鋼板等）から形成されている。なお、カバー３１６の材料は、金属に限られず、熱伝導性の高い材料（例えば、熱伝導性樹脂やセラミックス等）であってもよい。
【００４９】
ところで、ランプ３３０がソケット５０，６０で保持された状態において、ランプ３３０は、伝熱板３３２の曲面３３２ｂに、カバー３１６の主片３１７に設けられた突出部３１７ｃの一部を構成する断面弧状の凹部３１７ｃ１の内周面が当接している。これにより、発光部３１ｂで発生した熱は、基板３１ａを介して伝熱板３３２に伝熱し、その後、伝熱板３３２における曲面３３２ｂとカバー３１６の主片３１７に設けられた突出部３１７ｃの凹部３１７ｃ１との当接部分を介して器具３１０のカバー３１６に伝熱する。そして、カバー３１６に伝熱した熱は、カバー３１６の側片３１８に設けられたフィン３１９の外表面から外気に放熱されたり、カバー３１６とボディ１１との当接部分を介してボディ１１側に伝熱してボディ１１から器具３１０が取り付けられる天井材等へ放熱される。
【００５０】
結局、本実施の形態に係る照明ユニット３では、伝熱板３３２が曲面３３２ｂを有する細長の柱状部材からなり、一方、器具３１０のカバー３１６の主片３１７に断面弧状の凹部３１７ｃ１を有する突出部３１７ｃが設けられ、伝熱板３３２の曲面３３２ｂが凹部３１７ｃ１の内周面に当接する構造を有していることにより、伝熱板３３２と器具３１０のカバー３１６との接触面積を広くすることができるので、伝熱板２３２に伝熱した熱が器具３１０へ伝熱しやすくなり、その分、放熱特性の向上を図ることができる。
【００５１】
＜変形例＞
（１）実施の形態１では、器具１０の内部に配置された電源装置２０からランプ３０への給電をランプ３０の長手方向における一端部に設けられた口金３４から給電する例について説明したが、これに限定されるものではない。例えば、ランプ３０の両端部に設けられた口金から給電するものであってもよいし、他の給電方向を採用するものであってもよい。
【００５２】
（２）実施の形態１では、電源装置２０が器具１０の内部に配置された照明ユニット１の例について説明したが、これに限定されるものではない。例えば、ランプ３０の口金３４の内部に配置されるものであってもよいし、或いは、照明ユニット１の外部に設置されたものであってもよい。なお、実施の形態１で説明したランプ３０のように、口金ピン３４ａがＬ字状である場合は、口金規格の制約上、口金３４の内部に電源装置２０を配置できない場合がある。
【００５３】
但し、ランプ３０が有する光源ユニット３１の発光部３１ｂでの発熱による電源装置への熱負荷を低減することを考慮すれば、電源装置は、ランプ３０の外部である器具１０内に設置するほうが好ましい。
また、電源装置をランプ３０の内部に設ける場合、その位置は、光源ユニット３１からの光を遮らない部位、例えば、光源ユニット３１の長手方向における両端部近傍の少なくとも一方、或いは、口金の内部や伝熱板３２における光源ユニット３１が配置される側とは反対側の部位が好ましい。また、電源装置をランプ３０の内部に設ける場合、電源装置を伝熱板３２に固定してもよい。これにより、電源装置で発生した熱を伝熱板３２を介して器具１０のカバー１６に放熱することができるので、電源装置の熱負荷の軽減を図ることができる。
【００５４】
また、電源装置は、伝熱板における光源ユニットが配置される側とは反対側の面に固定されてなるものであってもよい。
（３）実施の形態１では、支持部材５４の台座部５４ａにおける凹部５４ｃの外周部が平坦に形成されている給電側ソケット５０の例について説明したが、これに限定されるものではない。例えば、図１４に示すように、支持部材５４の台座部５４ａにおける凹部５４ｃの外周部の一部および突出部５４ｄの凹部５４ｃ側の面における突出方向の先端部それぞれに、レバー５４ｂの延出方向とは反対方向に突出する突出部２５４ａが設けられてなる給電側ソケット２５０であってもよい。
【００５５】
本変形例によれば、口金ピン３４ａが導電部材５２の主片５２ａと第２副片５２ｄとの間に挿入した後に、支持部材５４を第５リブ５１ｇ２に沿った方向に摺動させると、口金ピン３４ａが突出部２５４ａに乗り上げて、口金３４が器具１０側へ押し上げられる。これにより、ランプ３０の伝熱板３２が器具１０のカバー１６に圧接され、伝熱板３２と器具１０との密着度を向上させることができる。
【００５６】
（４）実施の形態２では、ランプ２３０の伝熱板２３２の凹部２３２ａ４に器具２１０のカバー２１６に設けられた凸部２１７ｃが嵌合する照明ユニット２の例について説明したが、これに限定されるものではなく、例えば、器具２１０側に凹部を設けるとともに伝熱板２３２のランプ２３０の外周面に露出する部位に凸部を設けて、上記凹部に上記凸部が嵌合する構造としてもよい。
【００５７】
（５）実施の形態３では、ランプ３３０の口金３４，３５それぞれに設けられた口金ピン３４ａおよび固定用ピン３５ａをソケット５０，６０に設けられたスリットに挿入して一方向に移動させることにより、ランプ３３０が器具３１０に装着される例にいて説明したが、これに限定されるものではなく、例えば、ランプ３３０の口金３４，３５それぞれに設けられた口金ピン３４ａおよび固定用ピン３５ａをソケットに設けられたスリットに挿入した後に、ランプ３３０の長手方向に延びる中心軸周りにランプ３３０を回転させることによって、器具にランプ３３０が装着されるものであってもよい。
【００５８】
（６）実施の形態１では、例えば、ランプ３０が器具１０側に凸となるように反っており、ランプ３０の両端部が器具１０に設けられたソケット５０，６０により保持された状態で、ランプ３０の伝熱板３２が、器具１０のカバー１６に圧接するようにしてもよい。
（７）実施の形態１のソケット５０，６０は、例えば、口金３４，３５を器具１０側に近づける方向へ付勢するバネ等（付勢手段）が設けられてなるものであってもよい。これにより、ランプ３０が器具１０に装着された状態で、ランプ３０が、器具１０に近づく方向に付勢されるので、ランプ３０の伝熱板３２が器具１０のカバー１６の主片１７に圧接され、伝熱板３２からカバー１６への伝熱性を向上させることができる。
【産業上の利用可能性】
【００５９】
本発明に係るランプは、照明用途全般に広く利用可能である。
【符号の説明】
【００６０】
１，２，３  照明ユニット
１０  器具
１１  ボディ
１６，２１６，３１６  カバー
１７，２１７，３１７  主片
１８，２１８，３１８  側片
１９，２１９，３１９  フィン
２０  電源装置
２１ａ，２１ｂ  給電線
２２ａ，２２ｂ  コネクタピン
２５  端子台
３０  ランプ
３１  光源ユニット
３１ａ  基板
３１ｂ  発光部
３２，２３２，３３２  伝熱板（伝熱部材）
３３  透光性カバー
３４，３５，３３４，３３５  口金
３４ａ，３３４ａ  口金ピン
５０  給電側ソケット（保持部材）
５２  導電部材
５４  支持部材
５４ｂ  レバー
６０  非給電側ソケット（保持部材）
６２ｃ  リブ
２１７ｃ  凸部
２３２ａ１  Ｖ字状部位
２３２ａ２  第１斜面
２３２ａ３  第２斜面
３１７ｃ  突出部
２３２ａ４，３１７ｃ１  凹部
３３２ｂ  曲面
１３１０  ＬＥＤチップ
１３２０  実装基板
１３６０  光学部材
１３７０  色変換部材
【図１】
2013143227.tif 000003
【図２】
2013143227.tif 000004
【図３】
2013143227.tif 000005
【図４】
2013143227.tif 000006
【図５】
2013143227.tif 000007
【図６】
2013143227.tif 000008
【図７】
2013143227.tif 000009
【図８】
2013143227.tif 000010
【図９】
2013143227.tif 000011
【図１０】
2013143227.tif 000012
【図１１】
2013143227.tif 000013
【図１２】
2013143227.tif 000014
【図１３】
2013143227.tif 000015
【図１４】
2013143227.tif 000016